(57)【要約】      （修正有）【課題】限られた空間においてもエアマッサージ機のエア配管を容易に且つ短時間で行え、作業効率の向上とコスト低減を図る事のできるエア配管構造を有するエアマッサージ機を提供する。【解決手段】  マッサージ機本体に、エア給排装置と、これにより膨縮動作を行い得る膨縮袋と、該膨縮袋とエア給排装置間に介設されたエアホース４ａとを有し、人体施療部位に膨縮袋によるマッサージを行い得るエアマッサージ機であって、マッサージ機本体におけるエアホース４ａの配設位置近傍のフレーム１１ａ適所に貫通孔部１１２ａを設け、該貫通孔部１１２ａに連結管材５ａを内装すると共に連結管材５ａの終始端に少なくとも２以上の通気凸部２１ａを有するジョイント部材２ａを各々挟着し、各ジョイント部材２ａ・２ａにエアホース４ａが連結されたエア配管構造が設けられている。【選択図】図６
2007117401.tif 000002
【特許請求の範囲】
【請求項１】
マッサージ機本体に、エアの給排気を行うエア給排装置と、該エア給排装置からの給排気により膨縮動作を行い得る膨縮袋と、該膨縮袋と前記エア給排装置との間に介設されてエアの通気路とするエアホースとを有し、これらエア給排装置とエアホース及び膨縮袋を適所に配置して人体施療部位に膨縮袋によるマッサージを行い得るようにしたエアマッサージ機であって、該エアマッサージ機は、マッサージ機本体におけるエアホースの配設位置近傍のフレーム適所に貫通孔部を設け、該貫通孔部に連結管材を内装すると共に連結管材の終始端に少なくとも２以上の通気凸部を有するジョイント部材を各々挟着し、各ジョイント部材にエアホースが連結されたエア配管構造を有する事を特徴とするエアマッサージ機。
【請求項２】
前記エア配管構造は、ジョイント部材の通気凸部の外径がエアホース連結側基端から徐々に大きくなるよう形成すると共に、最大外径が前記連結管材の開口内径よりも大きくなる形状の通気凸部を有するエア配管構造である事を特徴とする請求項１記載のエアマッサージ機。
【請求項３】
前記エア配管構造は、一対のジョイント部材の少なくとも一方のジョイント部材が前記フレームに固着してあるエア配管構造である事を特徴とする請求項１及び請求項２記載のエアマッサージ機のエア配管構造。
【請求項４】
前記エア配管構造は、一対のジョイント部材の少なくとも一方のジョイント部材に、その他のジョイント部材と互いに脱着可能にする脱着連結部が設けてあるエア配管構造である事を特徴とする請求項１乃至請求項３に記載のエアマッサージ機。
【請求項５】
前記マッサージ機本体は、折畳み可能或いは分割接続可能な椅子形状若しくはベッド形状であり、折畳み部位或いは分割接続部位の近傍にエア配管構造を有する構成にした事を特徴とする請求項１乃至請求項４記載のエアマッサージ機。
【発明の詳細な説明】
【技術分野】
【０００１】
本発明は、エア給排装置におけるエアの給排気により膨縮袋を膨縮させてマッサージを行うエアマッサージ機に係り、詳しくは、エア給排装置と膨縮袋間に介設されるエアホースを容易且つ短時間に取付けできるエア配管構造を有し、エアマッサージ機のエア配管の取付け時における作業効率を向上させる事ができるようにしたエアマッサージ機に関するものである。
【背景技術】
【０００２】
従来、エアの給排気を行うエア給排装置により膨縮袋を膨縮動作させてマッサージを実施するエアマッサージ機は、通常、エア給排装置と膨縮袋との間にエアホースやホースジョイント部等からなるエア配管を設けて、エア給排装置から所定位置に配設した膨縮袋にエアが外部に漏れる事無く給気されるように構成している。
【０００３】
このエア配管は、エアマッサージ機の形態や、エア方式以外の併用されたマッサージ機構の動作を妨げる事がないよう適応して配備される構造のものである。
【０００４】
例えば、図１３に示したものは、座部１とその後方で起倒可能に設けられた背もたれ部２とからなる椅子型エアマッサージ機であり、該エアマッサージ機は、エア給排装置５を座部１の下部空間に設置し、該エア給排装置５に複数のエアホース６を連結して、座部１と背凭れ部２とに夫々埋設した複数の膨縮袋３に、エアを給排気して各膨縮袋３を膨縮させる構成のものである。
【０００５】
この椅子型エアマッサージ機は、特に、座部１の下部空間から背凭れ部２にかけてのエアホース６の配管を、エアホース６が外部に露出しないようにするために、背凭れ部２の側部ではなく下端部から上方への配管がなされており、このように配管する事で、エアホース６を外部へ露出させる事無く配管でき、外観が損なわれないようにしている。
【０００６】
さらに、この椅子型エアマッサージ機は、図１５及び図１６に示すように、前記背凭れ部２の内部にある左右一対のフレーム１１の下端部に設けたパイプ状の水平フレーム１１ａの内部を太さ方向に貫通するようにして、各エアホース６・６をパイプ２０で連結してホースを連結している。このようにフレーム内部を太さ方向に貫通するようにして配管する事により、特に背凭れ部２の下端部付近などの限られた空間においては、フレーム外部に外付けするような配管方法に比べて省空間化を実現できる。
【０００７】
また、前記パイプ２０の水平フレーム１１ａから上部に突出した部分においては、水平方向左右に通気部を分岐させており、その左右夫々の先端にエアホース６を夫々連結するよう構成している。そして、このように構成する事により、機械式の施療子４を備えたマッサージ機構がフレーム１１に沿って最下部に達しても、該エアホース６と接触しないようにしている。
【０００８】
前記パイプ２０は、上下二部品から成り、水平フレーム１１ａに貫通するように取りつけて、水平フレーム１１ａから上部に突出した部分において結合して水平フレーム１１ａに固着するように構成している。そして、上下二部品の上部品の下端部が、下部品の上端周部に対して嵌合するように螺軸等の適当な部材により結合されている。
【０００９】
また、この椅子型エアマッサージ機は、図１４に示すように座部１に対し背もたれ部２を前倒して折り畳めるようになっており、このような構成を採用するためには、図１６に示すように、パイプ２０の水平フレーム１１ａから下部に突出した先端部２０ａが、前記エア給排装置５へと連通する側のエアホース６と、これに連繋するよう連結される管状ホルダ１５とを離脱・結合可能に構成している。
【００１０】
したがって、背もたれ部２を前倒させて折り畳む場合は、パイプ２０の水平フレーム１１ａから下部に突出した先端部２０ａと管状ホルダ１５とが離脱するようにしている。
【特許文献１】特開２００４−１４１６２２号公報（第１１頁図１１、第１２頁図１２、第１３頁図１７及び図２０）
【発明の開示】
【発明が解決しようとする課題】
【００１１】
ところで、前述したような椅子式のエアマッサージ機において、前記フレーム１１の下端部に設けた前記水平フレーム１１ａに前記パイプ２０を挿着する場合、通常、機械式の施療子４を備えたマッサージ機構は、フレーム１１の最下部に位置しているため、パイプ２０の上下二部品を水平フレーム１１ａに螺着で取りつける際に、水平フレーム１１ａとそのすぐ上方に位置する該マッサージ機構との間の空間に余裕がなく、螺着するために部品を回転させる作業の困難性や作業時間の短縮化という課題が生じていた。
【００１２】
そこで、本発明は、上記問題点を解消する為に成されたものであり、限られた空間においても容易に短時間でエアマッサージ機のフレームにエア配管を行える構造にして、エアマッサージ機におけるエア配管の作業効率を大幅に向上させることができるエア配管構造を有するエアマッサージ機を提供する事を目的とするものである。
【課題を解決するための手段】
【００１３】
すなわち、本発明のエアマッサージ機は、折畳み可能或いは分割接続可能な椅子形状若しくはベッド形状のマッサージ機本体に、エアの給排気を行うエア給排装置と、該エア給排装置からの給排気により膨縮動作を行い得る膨縮袋と、該膨縮袋と前記エア給排装置との間に介設されてエアの通気路とするエアホースとを有し、これらエア給排装置とエアホース及び膨縮袋を適所に配置して人体施療部位に膨縮袋によるマッサージを行い得るようにしたエアマッサージ機であって、このエアマッサージ機は、マッサージ機本体のエアホースの配設位置近傍のフレーム適所に貫通孔部を設けると共に該貫通孔部に連結管材を内装し、且つ、連結管材の終始端に少なくとも２以上の通気凸部を有するジョイント部材を各々挟着し、各ジョイント部材にエアホースを連結するエア配管構造を有する構成のものにしたものである。
【００１４】
また、本発明のエアマッサージ機は、前記エア配管構造が、ジョイント部材の通気凸部の外径がエアホース連結側基端から徐々に大きくなるよう形成すると共に、最大外径が前記連結管材の開口内径よりも大きくなる形状の通気凸部を有するエア配管構造にして、これを有する構成にしたものである。
【００１５】
また、本発明のエアマッサージ機は、前記エア配管構造を、一対のジョイント部材の少なくとも一方のジョイント部材が前記フレームに固着してあるエア配管構造にして、これを有する構成にしたものである。
【００１６】
さらに、本発明のエアマッサージ機は、前記エア配管構造は、一対のジョイント部材の少なくとも一方のジョイント部材に、その他のジョイント部材と互いに脱着可能にする脱着連結部が設けてあるエア配管構造にして、これを有する構成にしたものである。
【００１７】
さらにまた、本発明のエアマッサージ機は、前記マッサージ機本体が折畳み可能或いは分割接続可能な椅子形状若しくはベッド形状であり、折畳み部位或いは分割接続部位の近傍にエア配管構造を有する構成にしたものである。
【発明の効果】
【００１８】
よって、本発明のエアマッサージ機は、エアの給排気を行うエア給排装置と、該エア給排装置からの給排気により膨縮動作を行い得る膨縮袋と、該膨縮袋と前記エア給排装置との間に介設されてエアの通気路とするエアホースとを有し、これらエア給排装置とエアホース及び膨縮袋を適所に配置して人体施療部位に膨縮袋によるマッサージを行い得るようにしたエアマッサージ機であって、該エアマッサージ機のエアホースは、マッサージ機本体におけるエアホースの配設位置近傍のフレーム適所に貫通孔部を設け設けると共に、該貫通孔部に連結管材を内装し、且つ、連結管材の終始端に少なくとも２以上の通気凸部を有するジョイント部材を各々挟着し、各ジョイント部材にエアホースが連結されたエア配管構造を有する構成にしたものである為、フレームに対するジョイント部材の組み付けが容易となり、作業性が向上する。
【００１９】
また、本発明のエアマッサージ機は、そのエア配管構造を、ジョイント部材の通気凸部の外径がエアホース連結側基端から徐々に大きくなるよう形成すると共に、最大外径が前記連結管材の開口内径よりも大きくなる形状の通気凸部を有するエア配管構造にしている為、連結管材の開口部に対するジョイント部材に形成した通気凸部へのエアホースの嵌入がスムーズであり、且つ圧着性の高い嵌合連結が可能となるので、エアホース内のエア圧が高圧状態であったり外力が不意に加わったりした場合でも、該嵌合部からのエア漏れ等を可及的に防止する事ができる。
【００２０】
また、本発明のエアマッサージ機は、そのエア配管構造を、一対のジョイント部材の少なくとも一方のジョイント部材が前記フレームに固着してあるエア配管構造である構成にしている為、通気凸部と連結管材との嵌合連結が行い易くなり、作業性を向上させる事ができる。
【００２１】
さらに、本発明のエアマッサージ機は、そのエア配管構造を、一対のジョイント部材の少なくとも一方のジョイント部材に、その他のジョイント部材と互いに脱着可能にする脱着連結部が設けてあるエア配管構造である構成にしている為、不使用時にマッサージ機本体を折り畳む場合のようにエアマッサージ機の態様が変化したとしても、エアホースに無理な負担を掛けたり伸び縮みをさせたりする事なく脱着連結部においてジョイント部材を容易に離脱させる事ができ、エアホースやその他の部位の劣化や破損を防止する事ができる。
【００２２】
さらにまた、本発明のエアマッサージ機は、マッサージ機本体を、折畳み可能或いは分割接続可能な椅子形状若しくはベッド形状であり、折畳み部位或いは分割接続部位の近傍にエア配管構造を有する構成にしている為、エアマッサージ機が椅子形状であってもベッド形状であっても、コンパクトにする事が可能であり、梱包や搬送における費用を低減させる事ができ、各コストを低減させる事ができる。
【発明を実施するための最良の形態】
【００２３】
以下に、本発明のエアマッサージ機を、図面に示す一実施形態に基づきこれを詳細に説明する。
図１は本発明のエアマッサージ機におけるエア配管構造の一実施形態を示す斜視図であり、図２は本発明のエアマッサージ機におけるエア配管構造の一実施形態を示す組立説明図であり、図３は本発明のエアマッサージ機におけるエア配管構造の一実施形態を示す側面図であり、図４は本発明のエアマッサージ機におけるエア配管構造の脱着連結部の一実施形態を示す説明図であり、図５は本発明のエアマッサージ機におけるエア配管構造のジョイント部材及び連結管材の一実施形態を示す説明図であり、図６及び図７は本発明のエアマッサージ機におけるマッサージ機本体のフレームの２箇所に貫通孔部を設けたエア配管構造の一実施形態を示す斜視図であり、図８及び図９は本発明のエアマッサージ機の一実施形態を示す説明図であり、図１０は本発明のエアマッサージ機が椅子形状である場合の一実施形態を示す説明図、図１１は本発明のエアマッサージ機が椅子形状である場合の一実施形態を示す使用状態図、図１２は本発明のエアマッサージ機がベッド形状である場合の一実施形態を示す説明図、図１３乃至図１６は従来技術を示す参考図である。
【００２４】
すなわち本発明のエアマッサージ機は、図１０及び図１１の実施形態は、人体の臀部及び大腿部が当接する座部１３ａと、該座部１３ａの後方において起倒可能に設けた人体背部の当接部となる背凭れ部１２ａと、座部１３ａの前方において出没可能に設けた人体脚部の当接部となる足載せ部１４ａと、座部１３ａの左右両側において立設した肘掛け部１５ａ・１５ａとを備えた折畳み可能或いは分割接続可能な椅子形状のエアマッサージ機を例示してものであり、該エアマッサージ機のマッサージ機本体１ａは、座部１３ａの下部空間に設けたエアの給排気を行う動力源を備えたエア給排装置３ａと、マッサージ機本体１ａの背凭れ部１２ａや座部１３ａ或いは足載せ部１４ａや肘掛け部１５ａの適所に夫々配設された膨縮袋１６ａと、該膨縮袋１６ａと前記エア給排装置３ａとの間に介設されてエアの通気路とするエアホース４ａとを備えたものであり、エア給排装置３ａからの給排気により各膨縮袋１６ａに膨縮動作を行なわせて、人体施療部位を適度なマッサージを行わせるようにしたものである。
【００２５】
而して、本発明のエアマッサージ機は、マッサージ機本体１ａにおける長管状の軟性ゴムで形成するエアホース４ａの配設位置近傍のフレーム１１ａ適所に貫通孔部１１２ａを設け、該貫通孔部１１２ａに連結管材５ａを内装すると共に連結管材５ａの終始端に少なくとも２以上の通気凸部２１ａを有する管状のジョイント部材２ａを各々挟着し、各ジョイント部材２ａにエアホース４ａが連結されたエア配管構造を有する構造としている。
【００２６】
前記背凭れ部１２ａの内部には、図８及び図１０に示すように、左右一対のガイドレール１２１ａ・１２１ａに沿って昇降する機械式施療機構１２２ａを設けており、該機械式施療機構１２２ａの前方に配備した左右一対の施療子１２３ａ・１２３ａにより、揉み・叩き・振動・ローリング・指圧・左右擦り・上下擦り等の単独マッサージ動作を繰返し行わせたり、これら単独マッサージ動作の組合せによる複合のマッサージ動作を行わせたりできるようにしている。
【００２７】
前記ジョイント部材２ａは、前記エアホース４ａよりも硬質である樹脂で形成したものであり、図１乃至図３では、開口部となる通気凸部２１ａを２個設けた形態のものや３個設けた形態のものを例示している。
【００２８】
尚、この通気凸部２１ａは、図５の実施形態で示したように、エアホース４ａの先端と連結保持するために、その外径がエアホース４ａ連結側基端の先端部２１１ａからその長さ方向に徐々に大きくなるよう傘状に形成したものが推奨される。
【００２９】
前記通気凸部２１ａを３個設けた形態のジョイント部材２ａは、例えば、第一の通気凸部２１ａから供給されたエアが、他の第二及び第三の通気凸部２１ａに夫々分岐して排出するように形成したものであり、前記エア給排装置３ａ側に連結している単一のエアホース４ａからのエアを二方向に分岐させる事により、二方向に配置された膨縮袋１６ａを同時に膨縮させる事ができるようにしているのである。
【００３０】
よって、この通気凸部２１ａの数量は、その膨縮袋１６ａの配置数や膨縮目的に応じて適宜変更すればよく、適宜数の通気凸部２１ａを備えたジョイント部材２ａを使用目的に応じて使用する事ができる。
【００３１】
また、前記ジョイント部材２ａは、図２に示したような取付け部材１１１ａを用いたり予めフレーム１１ａに貫通孔部１１２ａを形成したりする事で、これをフレーム１１ａの適所に容易に取り付けできるようにしている。
【００３２】
前記フレーム１１ａの貫通孔部１１２ａには、管状で可撓性のある連結管材５ａを内装しており、一対のジョイント部材２ａがフレーム１１ａを挟んで取り付けられるようにしている。すなわち、ジョイント部材２ａに形成する通気凸部２１ａを連結管材５ａの終始端開口部に各々差し込んで挟着し、これらを連結するようにしている。
【００３３】
図５に示すように、前記貫通孔部１１２ａに差し込む側の前記通気凸部２１ａは、その前記エアホース４ａ連結側基端の先端部２１１ａの最大外径Ｄ１が連結管材５ａの開口内径Ｄ２よりも大きくなるように形成している。よって、前述したように、この先端部２１１ａは、長さ方向において外径が先端から徐々に大きくなるよう形成している為、連結管材５ａの開口部４１ａに対する嵌入がスムーズであり、しかも圧着性の高い嵌合連結が可能になるのである。
【００３４】
図８に示すように、前記ガイドレール１２１ａの最下部に位置する前記機械式施療機構１２２ａとジョイント部材２ａとの隙間幅Ｄ３は小さく限られているので、以下のような手順で一対の前記ジョイント部材２ａを前記フレーム１１ａに挟着状に取り付けるようにする。
【００３５】
すなわち、図２に示すように、まず通気凸部２１ａを２個設けた一方のジョイント部材２ａの通気凸部２１ａを、フレーム１１ａの貫通孔部１１２ａの下から挿入すると共に、ビス等の取付け部材１１１ａにより固着し、次いで前記連結管材５ａを前記貫通孔部１１２ａに上から挿入し、該通気凸部２１ａを連結管材５ａの下側の開口部５１ａに嵌入して連結した後、３個の通気凸部２１ａを設けた他方のジョイント部材２ａを貫通孔部１１２ａに上から挿入して、連結管材５ａの上側の開口部５１ａに嵌入して挟着状に連結するようにして取付けを行う。
【００３６】
このように、まず一方の前記ジョイント部材２ａを前記フレーム１１ａに固着する事により、前記通気凸部２１ａと前記連結管材５ａとの嵌合連結が行い易くなり、作業性を向上させる事ができるのである。
【００３７】
前記連結管材５ａの材質に関しては、例えば軟質ＰＶＣやテフロン（登録商標）等が適当と考えられるが、可撓性及び密着性があり、連結管材５ａの開口部に対する前記連結凸部２１ａの嵌入状態において、内部のエアが漏れないように密閉できるものであればどのような材質のものであっても良い。
【００３８】
図４に示すのは、一方のジョイント部材２ａが他方のジョイント部材２ａと互いに脱着可能にする為に脱着連結部２２ａを設けた構成を例示したものであり、このように一方のジョイント部材２ａに設けた脱着連結部２２ａの先端開口部に、軟性ゴムを材質とするゴム部材２２１ａを形成する事により、他方のジョイント部材２ａに設けた脱着連結部２２ａの先端開口部をこのゴム部材２２１ａに圧着連結させた場合に、各ジョイント部材２ａ・２ａ内部のエアが漏れないようにする事ができ、また前記エア給排装置３ａを使用しない場合には、互いに脱着連結部２２ａで離脱させる事ができる。
【００３９】
前記エアマッサージ機におけるマッサージ機本体１ａの背凭れ部１２ａ下部において、前記脱着連結部２２ａを設けたジョイント部材２ａを配設した構成を図８に示す。エアマッサージ機の使用状態において、各ジョイント部材２ａ・２ａの脱着連結部２２ａは互いに連結しているが、図９に示すように、搬送時や梱包時等のエアマッサージ機を使用しない状態では、座部１３ａに対して背凭れ部１２ａを折り畳んでコンパクトにする事ができるように、各ジョイント部材２ａ・２ａの脱着連結部２２ａを互いに離脱した状態となるようにしている。
【００４０】
尚、図６及び図７は、前述したフレーム１１ａを挟んでジョイント部材２ａ・２ａを取り付けるエア配管の構成を２列にしたものを示しており、膨縮袋１６ａの配置や利用目的により適宜採用されるものである。
【００４１】
また、図１２は、本発明のエアマッサージ機がベッド形状である場合の一実施形態を示したものであり、該エアマッサージ機は、折畳み可能或いは分割接続可能なベッド形状のものであり、該エアマッサージ機には、上記したエア配管構造を採用している、
【図面の簡単な説明】
【００４２】
【図１】本発明のエアマッサージ機におけるエア配管構造の一実施形態を示した斜視図である。
【図２】本発明のエアマッサージ機におけるエア配管構造の一実施形態を示す組立説明図である。
【図３】本発明のエアマッサージ機におけるエア配管構造の一実施形態を示す側面図である。
【図４】本発明のエアマッサージ機におけるエア配管構造である脱着連結部の一実施形態を示す説明図である。
【図５】本発明のエアマッサージ機のエア配管構造であるホースジョイント部及び連結管材に関する一実施形態を示す正面説明図である。
【図６】本発明のエアマッサージ機におけるマッサージ機本体のフレームの２箇所に貫通孔部を設けた一実施形態を示す斜視図である。
【図７】本発明のエアマッサージ機におけるマッサージ機本体のフレームの２箇所に貫通孔部を設けた一実施形態を示す斜視図である。
【図８】本発明のエアマッサージ機のエアマッサージ機の一実施形態を示す説明図である。
【図９】本発明のエアマッサージ機のエアマッサージ機の一実施形態を示す説明図である。
【図１０】本発明のエアマッサージ機が椅子形状である場合の一実施形態を示す説明図である。
【図１１】本発明のエアマッサージ機が椅子形状である場合の一実施形態を示す使用状態図である。
【図１２】本発明のエアマッサージ機がベッド形状である場合の一実施形態を示す説明図である。
【図１３】従来技術を示す参考図である。
【図１４】従来技術を示す参考図である。
【図１５】従来技術を示す参考図である。
【図１６】従来技術を示す参考図である。
【符号の説明】
【００４３】
１ａ  マッサージ機本体
１１ａ  フレーム
１１１ａ  取付け部材
１１２ａ  貫通孔部
１２ａ  背凭れ部
１２１ａ  ガイドレール
１２２ａ  機械式施療機構
１２３ａ  施療子
１３ａ  座部
１４ａ  足載せ部
１５ａ  肘掛け部
１６ａ  膨縮袋
２ａ  ジョイント部材
２１ａ  通気凸部
２１１ａ  先端部
２２ａ  脱着連結部
２２１ａ  ゴム部材
３ａ  エア給排装置
４ａ  エアホース
５ａ  連結管材
５１ａ  開口部
Ｄ１  最大外径
Ｄ２  開口内径
Ｄ３  隙間幅
【図１】
2007117401.tif 000003
【図２】
2007117401.tif 000004
【図３】
2007117401.tif 000005
【図４】
2007117401.tif 000006
【図５】
2007117401.tif 000007
【図６】
2007117401.tif 000008
【図７】
2007117401.tif 000009
【図８】
2007117401.tif 000010
【図９】
2007117401.tif 000011
【図１０】
2007117401.tif 000012
【図１１】
2007117401.tif 000013
【図１２】
2007117401.tif 000014
【図１３】
2007117401.tif 000015
【図１４】
2007117401.tif 000016
【図１５】
2007117401.tif 000017
【図１６】
2007117401.tif 000018